(57)【特許請求の範囲】
【請求項１】
可動間仕切りをスライド自在に吊持させる可動間仕切り用レールを下方に開口せる断面リップ付きコ字状に形成し、この可動間仕切り用レールの１対のリップ片を可動間仕切りの水平回転するランナころが載置されて走行する走行面を有する第１のリップ片と、該走行面を有さずにその上面高さが該走行面よりも低く設定された第２のリップ片とで構成し、略水平に配置した２本の可動間仕切り用レールを交差させた可動間仕切り用レールの交差部構造において、ギャップを伴って接続される一方の可動間仕切り用レールの第１のリップ片と他方の可動間仕切り用レールの第２のリップ片との接続部位では、他方の可動間仕切り用レールの第２のリップ片の上面に可動間仕切り用レールやランナころに比べて硬度の低い材料で形成したギャップ埋め部材を積層して取付け、このギャップ埋め部材にランナころが走行する傾斜面を形成すると共にギャップ埋め部材の走行面への接続端部の部位における傾斜面の上面高さを上記走行面よりも高く設定し、この傾斜面にて他方の可動間仕切り用レールの第２のリップ片の上面と一方の可動間仕切り用レールの第１のリップ片の走行面とをなだらかに連続させたことを特徴とする可動間仕切り用レールの交差部構造。
【請求項２】
ギャップ埋め部材の傾斜面に滑性を備えたことを特徴とする請求項１記載の可動間仕切り用レールの交差部構造。
【発明の詳細な説明】
【０００１】
【発明の属する技術分野】
本発明は、可動間仕切りをスライド自在に吊持する２本の可動間仕切り用レールが交差する部分の構造に関する発明である。
【０００２】
【従来の技術】
従来から、既存の大部屋状のオフィス空間に即席の小部屋状の会議室等を設けたりするのに、可動間仕切り２を適宜立設させて仕切り壁を形成させることが行われている。この可動間仕切り２は天井面２３などに配設された可動間仕切り用レール１にスライド自在に吊持されており、適宜可動間仕切り用レール１に沿わせて移動させ、任意位置に仕切り壁を形成させるのである。たとえば図９に示すように、可動間仕切り用レール１は下方に開口せる断面リップ付きコ字状に形成され、下方に開口せる１対のリップ片５間の隙間７から可動間仕切り２の上部に設けたランナ１１が可動間仕切り用レール１内部に挿入され、このランナ１１が一方のリップ片５上に走行することで、可動間仕切り用レール１に可動間仕切り２がスライド自在に配置されている。上記ランナ１１は各々水平回転して可動間仕切り用レール１の隙間７幅より大きい径を有するランナころ１４と該隙間７幅より小さい径を有するガイドころ１３とを有して構成されており、ランナころ１４は一方のリップ片５上に転動可能にされ、ガイドころ１３は他のリップ片５の隙間７に臨む端面に転動または摺動可能にされている。なお、上記ガイドころ１３に替えて、他のリップ片５の隙間７に臨む端面に側面が滑動されるすべり部材で構成されることもある。ここで、上記ランナころ１４が転動する走行面６を有したリップ片５は第１のリップ片５ａと称し、該走行面６を有さずその上面が該走行面６よりも低く設定されたリップ片５を第２のリップ片５ｂと称する。なお、上記走行面６にはランナころ１４を点接触させるために隙間７側ほど低位置にする勾配が施されている。このような構成で可動間仕切り用レール１に吊持された可動間仕切り２は、ランナころ１４やガイドころ１３を可動間仕切り用レール１の両リップ片５に点接触によって転動させることができ、安定且つ滑らかなスライド動作が確保されているのである（たとえば、特許文献１参照）。
【０００３】
【特許文献１】
特開２００２−１６１６６４号公報
【０００４】
【発明が解決しようとする課題】
しかしながら、水平配置させた上記構成の可動間仕切り用レール１を２本交差させた交差部にあっては、図１０に示すように、一方の可動間仕切り用レール１ａの第１のリップ片５ａと他方の可動間仕切り用レール１ｂの第２のリップ片５ｂとが突き合わされて接続される部位が生じるのであるが、この一方の可動間仕切り用レール１ａにおける第１のリップ片５ａと他方の可動間仕切り用レール１ｂにおける第２のリップ片５ｂとの接続部位には、可動間仕切り用レール１の形状上、ギャップが生じてしまうものである。可動間仕切り用レール１に可動間仕切り２をスライド移動させる際には、可動間仕切り２にかける力の入れ具合によって多少可動間仕切り２が表裏方向に揺動することが多く、しかして、上記可動間仕切り用レール１の交差部にあって、上記他方の可動間仕切り用レール１ｂの走行面６から一方の可動間仕切り用レール１ａの走行面６にランナ１１を移動させる場合には、一方の可動間仕切り用レール１ａの走行面６にランナころ１４を載置走行させる瞬間、一方の可動間仕切り用レール１ａにおける第１のリップ片５ａと他方の可動間仕切り用レール１ｂにおける第２のリップ片５ｂとのギャップに当ってガタつきが生じたり、最悪、走行するランナころ１４が上記ギャップに当って止まってしまい、このランナころ１４を一方の可動間仕切り用レール１ａの走行面６に載せるために、可動間仕切り２を上方に持ち上げなければならない、といったように、可動間仕切り用レール１の交差部では可動間仕切り２のスムーズなスライド動が確保されないといった問題が生じてしまっていた。
【０００５】
本発明は上記の点に鑑みてなされたものであり、可動間仕切りのスムーズなスライド動を確保するためにランナころを走行させる走行面を一方のリップ片にのみ設けた断面リップ付きコ字状の可動間仕切り用レールに関し、この可動間仕切り用レールを２本交差させた交差部にあっても、可動間仕切りのスムーズなスライド動を確保できるようにした可動間仕切り用レールの交差部構造を提供することを課題とするものである。
【０００６】
【課題を解決するための手段】
上記課題を解決するために本発明に係る可動間仕切り用レールの交差部構造は、可動間仕切り２をスライド自在に吊持させる可動間仕切り用レール１を下方に開口せる断面リップ付きコ字状に形成し、この可動間仕切り用レール１の１対のリップ片５を可動間仕切り２の水平回転するランナころ１４が載置されて走行する走行面６を有する第１のリップ片５ａと、該走行面６を有さずにその上面高さが該走行面６よりも低く設定された第２のリップ片５ｂとで構成し、略水平に配置した２本の可動間仕切り用レール１を交差させた可動間仕切り用レールの交差部構造において、ギャップを伴って接続される一方の可動間仕切り用レール１ａの第１のリップ片５ａと他方の可動間仕切り用レール１ｂの第２のリップ片５ｂとの接続部位では、他方の可動間仕切り用レール１ｂの第２のリップ片５ｂの上面に可動間仕切り用レール１やランナころ１４に比べて硬度の低い材料で形成したギャップ埋め部材１５を積層して取付け、このギャップ埋め部材１５にランナころが走行する傾斜面１８を形成すると共にギャップ埋め部材１５の走行面６への接続端部の部位における傾斜面１８の上面高さを上記走行面６よりも高く設定し、この傾斜面１８にて他方の可動間仕切り用レール１ｂの第２のリップ片５ｂの上面と一方の可動間仕切り用レール１ａの第１のリップ片５ａの走行面６とをなだらかに連続させたことを特徴とする。
【０００７】
これによると、ギャップ埋め部材１５の傾斜面１８によって、可動間仕切り用レール１の交差部で接続される一方の可動間仕切り用レール１ａにおける第１のリップ片５ａと他方の可動間仕切り用レール１ｂにおける第２のリップ片５ｂとの間に生じるギャップを埋めると共に、他方の可動間仕切り用レール１ｂにおける第２のリップ片５ｂの上面と一方の可動間仕切り用レール１ａにおける第１のリップ片５ａの走行面６とをなだらかに連続させることができ、他方の可動間仕切り用レール１ｂにおける第１のリップ片５ａの走行面６に載置されて走行するランナころ１４を一方の可動間仕切り用レール１ａにおける第１のリップ片５ａの走行面６に移動させる際には、たとえスライド時に可動間仕切り２が表裏方向に揺動したとしても、ランナころ１４はギャップ埋め部材１５の傾斜面１８を走行してスムーズに一方の可動間仕切り用レール１ａにおける第１のリップ片５ａの走行面６に移動でき、したがって、可動間仕切り用レール１の交差部でも可動間仕切り２のスムーズなスライド動を確保することができる。また、ギャップ埋め部材１５を可動間仕切り用レール１やランナころ１４に比べて硬度の低い材料で形成し、このギャップ埋め部材１５の走行面６への接続端部の部位１８ａにおける傾斜面１８の上面高さを上記走行面６よりも高く設定したので、可動間仕切り２を可動間仕切り用レール１の交差部に通過させる度に、ランナころ１４によって走行面６よりも高く突出したギャップ埋め部材１５の傾斜面１８の部位１８ａを潰すことで、ギャップ埋め部材１５の傾斜面１８と走行面６とをなじませてより滑らかな連続面を形成させることができ、可動間仕切り用レール１の交差部での可動間仕切り２のスライド動を更にスムーズに行わせることができる。特に、ギャップ埋め部材１５の傾斜面１８と走行面６との間に隙間２２が生じている場合には、ランナころ１４によって潰されたギャップ埋め部材１５によって該隙間２２を埋めることもできて好ましいものである。
【０００８】
また、ギャップ埋め部材１５の傾斜面１８に滑性を備えたことも好ましい。これによると、ギャップ埋め部材１５の傾斜面１８に転動したランナころ１４の接触抵抗を低減でき、可動間仕切り用レール１の交差部での可動間仕切り２のスライド動を更にスムーズに行わせることができる。
【００１０】
【発明の実施の形態】
以下、本発明を添付図面に示す実施形態に基づいて説明する。図１には、可動間仕切り用レール１の交差部の一部を透視した斜視図を示す。図１に示すように、可動間仕切り用レール１は、上横片３の両幅端部からそれぞれ縦片４を垂下し、各縦片４の下端部から水平内方にリップ片５を突設させてなる断面リップ付きコ字状の長尺の押出し成形枠材である。この可動間仕切り用レール１はたとえばアルミ材等の金属材で成形される。この１対のリップ片５のうち、一方のリップ片５は可動間仕切り２の水平回転するランナころ１４が走行する走行面６を有するもので構成され、他方のリップ片５は該走行面６を有さないもので構成されている。なお、便宜上、走行面６を有するリップ片５を第１のリップ片５ａと称し、走行面６を有さないリップ片５を第２のリップ片５ｂと称する。ここで、第１のリップ片５ａの走行面６には両リップ片５の隙間７側程低位置になる勾配が施されている。また、走行面６で構成される第１のリップ片５ａの上面高さは、第２のリップ片５ｂの上面高さに比べ高位置に位置するように形成されている。具体的に、第１のリップ片５ａは、リップ片５の主体を構成せる水平片部８と上面が走行面６となる傾斜片部９とを有し、水平片部８の上に水平隙間１０を介して傾斜片部９を積層配置して形成されている。一方、第２のリップ片５ｂは上記水平片部８のみで形成されている。
【００１１】
上記可動間仕切り用レール１には可動間仕切り２がスライド自在に吊持されるのであるが、これは、可動間仕切り２の上部に設けたランナ１１を可動間仕切り用レール１内部にスライド自在に収納させることで行われる。ここで、上記ランナ１１は、可動間仕切り２の上端から上方に突出した固定軸１２を有し、この固定軸１２に下側からガイドころ１３、ランナころ１４をそれぞれ水平回転自在に装着させて構成されている。なお、ガイドころ１３は可動間仕切り用レール１の隙間７の幅より小さい径に形成された円筒回転体であり、また、ランナころ１４は該隙間７の幅より大きい径に形成された円筒回転体である。可動間仕切り用レール１内部へのランナ１１の収納構造は、具体的に、ランナころ１４を可動間仕切り用レール１内部に位置させて第１のリップ片５ａの走行面６に載置し、ガイドころ１３を可動間仕切り用レール１の隙間７に位置させて第２のリップ片５ｂの隙間７に面する端面５ｂ１に当接させることで行われる。この構造では、走行面６に走行自在にされたランナころ１４は可動間仕切り２の自重及び走行面６の勾配によって下方に滑り落ちようとするが、この力を利用してガイドころ１３は第２のリップ片５ｂの隙間７に面する端面５ｂ１に確実に当接されるようになっている。つまり、ランナころ１４及びガイドころ１３の可動間仕切り用レール１への点接触が確実に維持され、可動間仕切り２の重量が両リップ片５に分散して支持されて安定した可動間仕切り２の可動間仕切り用レール１への吊持構造とされ、且つガイドころ１３のガイドによって可動間仕切り２の可動間仕切り用レール１に沿ったスムーズな走行が確保される構造とされている。
【００１２】
なお、ガイドころ１３に替えて、固定軸１２に固定して装着されるすべり部材（図示せず）を用いてもよい。すべり部材は、その側面を第２のリップ片５ｂの隙間７に面する端面５ｂ１に滑動させ得るようにした部材である。
【００１３】
上記構成の可動間仕切り用レール１はたとえば天井面２３（図９参照）に埋設されたりして配設されるのであるが、可動間仕切り２の配置パターンのバリエーションに応じて一直線上に限らず適宜パターンに配設される。たとえば大部屋を可動間仕切り２によっていくつもの小部屋に区切るなどの場合、図６のように該可動間仕切り用レール１が碁盤状に配置されることもある。この場合に限るものではないが、長さ方向を違えて水平配置された２本の可動間仕切り用レール１はときに交差して交差部を形成するものである。図１のようなＴ字型の交差部に限らず十字型の交差部にあっても可動間仕切り用レール１の交差部では、可動間仕切り用レール１の１対のリップ片５が形状の異なる第１のリップ片５ａ及び第２のリップ片５ｂとで構成される限り、第１のリップ片５ａと第２のリップ片５ｂとの接続箇所が生じる。そして、従来技術の項でも述べたが、この形状の異なる第１のリップ片５ａと第２のリップ片５ｂとの接続部位では、上記両者の形状に違いによるギャップが生じるものであり、このギャップは交差部を通過するランナ１１のスムーズな走行を妨げるものとなっている。
【００１４】
本発明は、走行面６を有する第１のリップ片５ａと走行面６を有さない第２のリップ片５ｂとの接続部位にギャップが生じても、このギャップを埋めるためのギャップ埋め部材１５を第２のリップ片５ｂにおける第１のリップ片５ａとの接続端部の上面に積層配置し、このギャップ埋め部材１５によって第２のリップ片５ｂと第１のリップ片５ａとの上面をなだらかな連続面に形成させ、第２のリップ片５ｂ上に位置した可動間仕切り２のランナ１１をスムーズに第１のリップ片５ａの走行面６に至らせて可動間仕切り２のスムーズなスライド動を確保できるようにした可動間仕切り用レール１の交差部構造にある。なお、便宜上、上記接続する第１のリップ片５ａと第２のリップ片５ｂにあって、上記第１のリップ片５ａは交差する２本の可動間仕切り用レール１のうち一方の可動間仕切り用レール１ａにおける第１のリップ片５ａがこれを構成し、上記第２のリップ片５ｂは他方の可動間仕切り用レール１ｂにおける第２のリップ片５ｂがこれを構成するものとして、説明をしてゆく。
【００１５】
ギャップ埋め部材１５は、図１や図５に示すように、可動間仕切り用レール１の長手方向と同方向に長尺に形成された板状ブロック体であり、その下面部にはビス孔１６が穿孔されており、その長手方向の一端の側面部には一方の可動間仕切り用レール１ａにおける第１のリップ片５ａの当接端面５ａ１に当接させる当接面１７が形成されており、また上面部には該第１のリップ片５ａの走行面６に滑らかに連続させる傾斜面１８が形成されている。なお、このギャップ埋め部材１５は、可動間仕切り用レール１やランナころ１４に比べて硬度の低い材料、たとえば樹脂などで形成されている。
【００１６】
詳しくは、上記当接面１７は、ギャップ埋め部材１５の長手方向に対して所定角度をつけて形成され、第１のリップ片５ａの当接端面５ａ１に突き合わせる端面である。しかして、上記所定角度は、第１のリップ片５ａの当接端面５ａ１の角度と合わせて可動間仕切り用レール１の交差角度を形成できるように設定される。たとえば、本例の当接面１７における所定角度は、可動間仕切り用レール１の交差角度が直交で且つ第１のリップ片５ａの当接端面５ａ１の角度が可動間仕切り用レール１の長手方向に対して４５°傾いて設定されているので、ギャップ埋め部材１５の長手方向に対して４５°傾けて設定されている。なお、第１のリップ片５ａの当接端面５ａ１には水平隙間１０が開口しているが、この当接面１７からは上記水平隙間１０に差し込む挿込片１９が突設されている。また、上記傾斜面１８は、ギャップ埋め部材１５の長手方向にあっては当接面１７に近づく程上方に位置するように、またギャップ埋め部材１５の短手方向にあっては可動間仕切り用レール１の隙間７に近づく程下方に位置するような勾配が施されている。なお、この傾斜面１８はその表面が滑らかに形成されたり表面コーティングなどを施して滑性を備えるようにされている。
【００１７】
上記構成のギャップ埋め部材１５は、図１乃至図４に示すように、一方の可動間仕切り用レール１ａと他方の可動間仕切り用レール１ｂとが交差する可動間仕切り用レール１の交差部にあって、一方の可動間仕切り用レール１ａにおける第１のリップ片５ａと他方の可動間仕切り用レール１ｂにおける第２のリップ片５ｂとの接続部位で生じるギャップを埋めるために、上記第２のリップ片５ｂにおける第１のリップ片５ａ側の接続端部付近の上面に積層させて取付けられる。詳しくは、このギャップ埋め部材１５は、その長手方向を他方の可動間仕切り用レール１ｂの長手方向に合わせると共にビス孔１６を上記第２のリップ片５ｂに穿孔されたビス挿通孔２０に連通させて、上記第２のリップ片５ｂ上に積層配置させ、上記第２のリップ片５ｂの下方からビス挿通孔２０に挿通させたビス２１を上記ビス孔１６に螺着させることで、上記第２のリップ片５ｂ上の所定位置に固定される。
【００１８】
このように他方の可動間仕切り用レール１ｂにおける第２のリップ片５ｂ上に固定されたギャップ埋め部材１５にあっては、接続した一方の可動間仕切り用レール１ａの第１のリップ片５ａと他方の可動間仕切り用レール１ｂの第２のリップ片５ｂとの間に生じるギャップを埋めると共に、その傾斜面１８が一方の可動間仕切り用レール１ａにおける第１のリップ片５ａの走行面６になめらかに連続する連続面を形成するようにされる。しかして、他方の可動間仕切り用レール１ｂにおける第１のリップ片５ａの走行面６を走行するランナころ１４を一方の可動間仕切り用レール１ａにおける第１のリップ片５ａの走行面６に移動させる際には、たとえスライド時に可動間仕切り２が表裏方向に揺動したとしても、ランナころ１４はギャップ埋め部材１５の傾斜面１８を伝ってスムーズに一方の可動間仕切り用レール１ａにおける第１のリップ片５ａの走行面６に移動でき、したがって、可動間仕切り用レール１の交差部でも可動間仕切り２のスムーズなスライド動が確保されるようになっている。更に言えば、このギャップ埋め部材１５の傾斜面１８は滑性を備えて形成されているので、傾斜面１８を走行するランナころ１４の接触抵抗を低減でき、可動間仕切り２のスムーズなスライド動の向上も図られている。なお、上記とは逆に、一方の可動間仕切り用レール１ａにおける第１のリップ片５ａの走行面６を走行するランナころ１４を他方の可動間仕切り用レール１ｂにおける第１のリップ片５ａの走行面６に移動させる際には、特に何らの障害もなく、可動間仕切り２のスムーズなスライド動が確保されるのは言うまでもない。
【００１９】
また、他方の可動間仕切り用レール１ｂにおける第２のリップ片５ｂ上にギャップ埋め部材１５を固定した直後の状態にあっては、詳しくは、ギャップ埋め部材１５の傾斜面１８における当接面１７側の端部の部位１８ａが、一方の可動間仕切り用レール１ａにおける第１のリップ片５ａの走行面６よりも上方に位置するようにされている。これは、上述したようにギャップ埋め部材１５が可動間仕切り用レール１やランナころ１４に比べて硬度の低い材料で形成されていることから、図７に示すように、可動間仕切り２を可動間仕切り用レール１の交差部に通過させる度に、ランナころ１４によって走行面６よりも高く突出したギャップ埋め部材１５の部位１８ａを潰し、ギャップ埋め部材１５と走行面６とをなじませてより滑らかな連続面を形成できるようされているのである。したがって、可動間仕切り用レール１の交差部での可動間仕切り２のスライド動を更にスムーズに行わせることができるようされているのである。
【００２０】
更に言うと、このギャップ埋め部材１５の当接面１７側の端部１８ａの上面高さを、一方の可動間仕切り用レール１ａにおける第１のリップ片５ａの走行面６よりも高く設定したことは、特に、ギャップ埋め部材１５を装着したときに、ギャップ埋め部材１５と上記走行面６との間に隙間２２が生じた場合に好ましい。他方の可動間仕切り用レール１ｂにおける第２のリップ片５ｂ上に固定したギャップ埋め部材１５の当接面１７が、一方の可動間仕切り用レール１ａにおける第１のリップ片５ａの当接端面５ａ１にぴったりと隙間２２のない状態とされるのは、各部材の寸法精度や取付け施工の精度が良好の場合に限られ、現実問題、ギャップ埋め部材１５が走行面６との間には多少の隙間２２が生じてしまう場合が多い。ここで、ギャップ埋め部材１５の当接面１７側の端部１８ａの上面高さを、一方の可動間仕切り用レール１ａにおける第１のリップ片５ａの走行面６よりも高く設定させて、上述のようにこの部位１８ａをランナころ１４によって潰すようにすると、図８に示すように、このランナころ１４によって潰したギャップ埋め部材１５の部位１８ａによって該隙間２２を埋めることができるのであり、施工時に生じた不具合のリカバリーを行いつつ、ギャップ埋め部材１５と走行面６とに滑らかな連続面を形成させることができるのであり、有効である。
【００２１】
【発明の効果】
上記のように本発明の請求項１記載の発明にあっては、叙述したように、ギャップを伴って接続される一方の可動間仕切り用レールの第１のリップ片と他方の可動間仕切り用レールの第２のリップ片との接続部位では、他方の可動間仕切り用レールの第２のリップ片の上面にギャップ埋め部材を積層して取付け、このギャップ埋め部材にランナころが走行する傾斜面を形成し、この傾斜面にて他方の可動間仕切り用レールの第２のリップ片の上面と一方の可動間仕切り用レールの第１のリップ片の走行面とをなだらかに連続させたので、他方の可動間仕切り用レールにおける第１のリップ片の走行面に載置されて走行するランナころを、一方の可動間仕切り用レールにおける第１のリップ片の走行面に移動させる際には、たとえスライド時に可動間仕切りが表裏方向に揺動したとしても、ランナころはギャップ埋め部材の傾斜面を走行してスムーズに一方の可動間仕切り用レールにおける第１のリップ片の走行面に移動でき、したがって、可動間仕切り用レールの交差部でも可動間仕切りのスムーズなスライド動を確保できるのである。また、ギャップ埋め部材を可動間仕切り用レールやランナころに比べて硬度の低い材料で形成し、このギャップ埋め部材の走行面への接続端部の部位における傾斜面の上面高さを上記走行面よりも高く設定したので、可動間仕切りを可動間仕切り用レールの交差部に通過させる度に、ランナころによって走行面よりも高く突出したギャップ埋め部材の傾斜面の部位を潰すことで、ギャップ埋め部材の傾斜面と走行面とをなじませてより滑らかな連続面を形成させることができ、可動間仕切り用レールの交差部での可動間仕切りのスライド動を更にスムーズに行わせることができる。特に、可動間仕切り用レールに装着したギャップ埋め部材の傾斜面と走行面との間に隙間が生じている場合には、ランナころによって潰されたギャップ埋め部材によって該隙間をも埋めることもできて有効である。
【００２３】
また、請求項２記載の発明にあっては、請求項１の効果に加えて、ギャップ埋め部材の上面に滑性を備えたので、ギャップ埋め部材の上面に転動したランナころの接触抵抗を低減でき、可動間仕切り用レールの交差部での可動間仕切りのスライド動を更にスムーズに行わせることができる。
【図面の簡単な説明】
【図１】本発明の実施の形態の例の可動間仕切り用レールの交差部の一部透視斜視図である。
【図２】同上の可動間仕切り用レールの交差部の水平断面図である。
【図３】図２のＡ−Ａ線断面図である。
【図４】図２のＢ−Ｂ線断面図である。
【図５】同上のギャップ埋め部材の部品図であり、（ａ）は正面図であり、（ｂ）は下面図であり、（ｃ）は上面図であり、（ｄ）は左側面図であり、（ｅ）は右側面図であり、（ｆ）は裏面図であり、（ｇ）は（ａ）のＣ−Ｃ線断面図であり、（ｈ）は（ａ）のＤ−Ｄ線断面図である。
【図６】可動間仕切り用レールの配設パターンの例を説明する斜視図である。
【図７】同上のギャップ埋め部材が走行面と連続面を形成する過程を説明する説明図である。
【図８】同上のギャップ埋め部材が走行面と連続面を形成する過程を説明する説明図である。
【図９】従来技術の例を示す縦断面図である。
【図１０】同上の可動間仕切り用レールの交差部の一部透視斜視図である。
【符号の説明】
１  可動間仕切り用レール
１ａ  一方の可動間仕切り用レール
１ｂ  他方の可動間仕切り用レール
２  可動間仕切り
５  リップ片
５ａ  第１のリップ片
５ｂ  第２のリップ片
６  走行面
７  隙間
１１  ランナ
１３  ガイドころ
１４  ランナころ
１５  ギャップ埋め部材
１８  傾斜面
【図１】
0003709184.tif 000002
【図２】
0003709184.tif 000003
【図３】
0003709184.tif 000004
【図４】
0003709184.tif 000005
【図５】
0003709184.tif 000006
【図６】
0003709184.tif 000007
【図７】
0003709184.tif 000008
【図８】
0003709184.tif 000009
【図９】
0003709184.tif 000010
【図１０】
0003709184.tif 000011